(57)【特許請求の範囲】
【請求項１】
前蓋及び後蓋を有し、前記後蓋の内部には前記後蓋に穿設されるキャリーハンドル及び装設部が設けられ、前記後蓋の外部には収納構造が設けられるハードタイプスーツケースの隠し収納構造であって、
前記後蓋の外部に外から内へ凹設され、対応し合う窪み部の底面及び切込みが成型される窪み部と、
底板及び前記底板の周縁の内側に沿い設置される軟質の連接板を有すると共に凹型構造として成型され、前記窪み部内に納置され、内部ケースの前記底板と前記窪み部の前記底面とは結合して固定される内部ケースと、
底板及び前記底板の周縁の内側に沿い設置される軟質の連接板を有すると共に凹型構造として成型され、前記底板の外部にはそれを牽引するための引き部が設けられ、前記内部ケースの凹型口と整合し、外部ケースの前記連接板と前記内部ケースの前記連接板とはファスナーにより閉められ、かつ分離して開けられる外部ケースと、を備え、
前記内部ケースの連接板と前記外部ケースの連接板が延出されて変形し、前記外部ケースの前記底板が前記窪み部の前記切込みを超過すると前記ファスナーが現れて収納空間が拡張され、かつ圧縮変形されて前記外部ケースの前記底板により前記窪み部の前記切込みが被覆されて前記外部ケースが隠されて前記収納空間が縮小されることを特徴とする、
ハードタイプスーツケースの隠し収納構造。
【請求項２】
前記外部ケースの前記底板の周縁には凸状リブ部が周設され、前記外部ケースの前記底板は前記凸状リブ部により前記窪み部の前記切込みに緊密に被覆され、且つ前記窪み部の前記窪み部の底面と前記内部ケースの前記底板とが対応する位置には複数のビアが各々設けられ、前記窪み部の底面及び前記内部ケースの前記底板には前記ビアの数量の穿設部材に対応させてリベットが穿設され、前記内部ケースの前記連接板の外面及び前記外部ケースの前記連接板の外面の対応する位置にはフック面のファスナー及びループ面のファスナーが数量を対応させて設けられ、前記外部ケースの前記底板は前記窪み部の前記切込みに被覆され、前記内部ケースの前記連接板及び前記外部ケースの前記連接板が圧縮変形されて重畳されることで面ファスナーが貼着されることを特徴とする、請求項１に記載のハードタイプスーツケースの隠し収納構造。
【請求項３】
前記スーツケースの前記前蓋と前記後蓋との間には中間仕切り部を有し、前記中間仕切り部には上部用ハンドル及び側部用ハンドルが設置され、前記中間仕切り部には前記前蓋をロックさせるための前蓋用ロック、及び前記後蓋をロックさせるための後蓋用ロックが設置され、前記スーツケースの前記前蓋及び前記後蓋の底部には４つのキャスターが設置され、前記ファスナーは前記内部ケースの前記連接板の周縁に設けられる第一ファスナー、前記外部ケースの前記連接板の周縁に設けられる第二ファスナー、前記第一ファスナー及び前記第二ファスナーを貼り付けるためのスライダー、及び前記スライダーを牽引するための引き手を備え、前記内部ケースの前記底板の下側と前記外部ケースの前記底板の下側との間に連接される補強部を有し、前記補強部と前記内部ケースの前記連接板及び前記外部ケースの前記連接板は前記収納空間内に間隔をあけて設置されることを特徴とする、請求項１に記載のハードタイプスーツケースの隠し収納構造。
【請求項４】
前記内部ケースの前記連接板及び前記外部ケースの前記連接板は布、レザー、或いはプラスチックの板材の中から自由に選択され、前記内部ケースの前記連接板及び前記外部ケースの前記連接板の対向する両側は上から下に収束して幅が変化し、前記内部ケース及び前記外部ケースが整合されて上が広く下が狭い収納構造が形成されることを特徴とする、請求項１に記載のハードタイプスーツケースの隠し収納構造。
【請求項５】
前記外部ケースの前記底板は軟質材質で製造されると共に少なくとも１つのファスナー及び／或いは少なくとも１つのインナーポケットが設けられ、前記インナーポケットは前記収納構造の内部に設けられる袋及び前記外部ケースの前記底板に設けられるファスナーを備えることを特徴とする、請求項１に記載のハードタイプスーツケースの隠し収納構造。
【発明の詳細な説明】
【技術分野】
【０００１】
本発明は、ハードタイプスーツケースの外部に設けられると共に収納されて隠されるか、或いは展開されて使用される収納構造に関する。
【背景技術】
【０００２】
スーツケースは、箱体の材質がＡＢＳ、ＰＰ、或いはアルミ合金等の材質で製造されるハードタイプスーツケース、及び布とＡＢＳ、ＥＶＡ、或いはＰＥが組み合わされて製造されるソフトタイプスーツケースに分けられる。
ソフトタイプスーツケースの箱体は、変形可能な軟質の布により収納能力を高めるが、布が張り詰められる程荷物を収容すると簡単に縫い目が裂けてしまい、また、スーツケースが受託されて運搬される過程に於いて限界以上の瞬間的な衝突力を受力すると、縫い目から破れて損壊した。
【０００３】
前述の使用上の問題は、ハードタイプスーツケースでは解決可能である。ハードタイプスーツケースは硬質の材料により一体になる前後の箱体が製造され、閉じている時はスーツケースの構造強度が高いため箱体は壊れにくく、外観も崩れにくく、収納空間も増設可能である。例えば、よくあるスーツケースの本体の外部には同じ材質の収納構造が設けられ、収納される物品を随時取り出せる。
ソフトタイプスーツケースは半開きの形態の収納構造の辺縁は箱本体外部に縫合され、少ない材料で中間層の重量が増加され、収納空間とする目的を達成させる。ハードタイプスーツケースも同様に硬質材料の箱本体と収納構造とが良好に結合し、通常は少なくとも２つのケース部材が整合して硬質の収納構造が構成され、収納構造の何れか一つのケース部材は大面積で箱本体の外部にリベットが穿設されることで固定され、収納中間層増設の目的を達成する。
【発明の概要】
【発明が解決しようとする課題】
【０００４】
しかしながら、前述した従来の技術、即ち、従来のハードタイプスーツケースの外部に増設される中間層には以下の問題が存在する。
１、前述のスーツケースの外部に設けられる収納構造の設置目的は、スーツケースを全て開けずとも物品を取り出せるため、２つのケース部材が整合されて構成される硬質の収納構造の収納空間は小さい上に固定されており、スーツケースの全体の重量が大幅に増加した。
２、前記硬質の収納構造はスーツケース本体の前側表面に凸設され、前側はスーツケースに設置されるキャリーハンドルの後側に対向しているため、内部ケース部材は箱本体にリベットにより設置されるが、ファスナーと内部ケース部材とが結合する外部ケース部材が受託されて積み込まれる際に上に向け納置されると他のスーツケースにぶつかり損傷する等の問題を解決出来ない。
【０００５】
そこで、本発明者は上記の欠点が改善可能と考え、鋭意検討を重ねた結果、合理的設計で上記の課題を効果的に改善する本発明の提案に到った。
【０００６】
本発明は、このような従来の問題に鑑みてなされたものである。上記課題解決のため、本発明は、ハードタイプスーツケースの隠し収納構造を提供することを主目的とする。
主にハードタイプスーツケースはキャリーハンドルが設置される後蓋に外から内へ凹設される窪み部が成型され、２つのケース部材が整合されて構成される収納構造を納置させ、収納構造はキャリーハンドル側のスーツケースに設置されることで、収納構造が受託されて積み上げられる際に下向きに設置され、他のスーツケースにぶつかり損壊する確率を低下させる。
【０００７】
また、本発明は、硬質の底板の周辺に軟質の連接板が設置されることで、２つのケース部材の連接板の間はファスナーにより閉められ、かつ分離されて開けられ、収納構造は軟質の連接板が変形することで圧縮されて後蓋の窪み部に納置され、かつ延出されて窪み部を超過させ、収納構造が窪み部に収納されて完全に隠され、かつ延出されて収納空間が増加され、収納空間調整機能を有するハードタイプスーツケースを提供することを第二の目的とする。
【０００８】
さらに、本発明は、窪み部に収納構造が隠されることで収納構造がスーツケースの表面に形成される構造から突出されて脆弱点になるのを防ぎ、スーツケース及び収納構造の強度を強化させる効果を達成させることを第三の目的とする。
【課題を解決するための手段】
【０００９】
上述した課題を解決し、目的を達成するために、本発明に係るハードタイプスーツケースの隠し収納構造は、前蓋及び後蓋を有し、前記後蓋の内部には前記後蓋に穿設されるキャリーハンドル及び装設部が設けられ、前記後蓋の外部には収納構造が設けられるハードタイプスーツケースの隠し収納構造であって、前記収納構造は、前記後蓋の外部に外から内へ凹設され、対応し合う窪み部の底面及び切込みが成型される窪み部と、底板及び前記底板の周縁の内側に沿い設置される軟質連接板を有すると共に凹型構造として成型され、前記窪み部内に納置され、それの前記底板と前記窪み部の前記窪み部の底面とは結合して固定される内部ケースと、前記底板及び前記底板の周縁の内側に沿い設置される軟質連接板を有すると共に凹型構造として成型され、前記底板の外部にはそれを牽引するための引き部が設けられ、それと前記内部ケースの凹型口とが整合し、それの前記連接板と前記内部ケースの前記連接板とはファスナーにより閉められ、かつ分離して開けられる外部ケースを備え、これにより、前記収納構造は前記２枚の軟質連接板が延出されて変形され、前記外部ケースの前記底板が前記窪み部の前記切込みを超過すると前記ファスナーが現れて収納空間も拡張され、かつ圧縮変形されて前記外部ケースの前記底板により前記窪み部の前記切込みが被覆されて前記外部ケースが隠されて前記収納空間が縮小されることを特徴とする。
【００１０】
請求項２に記載のハードタイプスーツケースの隠し収納構造は請求項１において、前記外部ケースの底板の周縁には凸状リブ部が周設され、前記外部ケースの前記底板は前記凸状リブ部により前記窪み部の前記切込みに緊密に被覆され、且つ前記窪み部の前記窪み部の底面と前記内部ケースの前記底板とが対応する位置には複数のビアが各々設けられ、前記窪み部の前記窪み部の底面及び前記内部ケースの前記底板には前記ビアの数量の穿設部材に対応させてリベットが穿設され、前記内部ケースの前記連接板の外面及び前記外部ケースの前記連接板の外面の対応する位置にはフック面のファスナー及びループ面のファスナーが数量を対応させて設けられ、前記外部ケースの前記底板は前記窪み部の前記切込みに被覆され、前記内部ケースの前記連接板及び前記外部ケースの前記連接板が圧縮変形されて重畳されることで面ファスナーが貼着されることを特徴とする。
【００１１】
こうすると、外部ケースは緊結構造或いは貼着構造により安定的に窪み部内部に収納されて隠される目的を達成させる。
【００１２】
請求項４に記載のハードタイプスーツケースの隠し収納構造は請求項１において、内部ケース及び外部ケースの連接板の対向する両側は上から下に収束して幅が変化し、内部ケース及び外部ケースが整合されて上が広く下が狭い収納構造が形成され、収納構造の上側は下側より幅が広く窪み部の切込みを超過し、使用者の操作し易い角度を形成させることを特徴とする。
【００１３】
請求項５に記載のハードタイプスーツケースの隠し収納構造は請求項１において、外部ケースの底板は軟質材質により製造され、少なくとも１つのファスナー或いは少なくとも１つのインナーポケットが設置され、ファスナー及びインナーポケットにより収納構造の外部ケースが窪み部の切込みに収納されて隠される状態では、物品を高速に収納構造に出し入れ可能になる利便性を有することを特徴とする。
【図面の簡単な説明】
【００１４】
【図１】本発明に係るハードタイプスーツケースの隠し収納構造を説明する傾斜の展開図である。
【図２】本発明に係るハードタイプスーツケースの隠し収納構造を説明する展開図である。
【図３】本発明に係るハードタイプスーツケースの隠し収納構造を説明する断面模式図である。
【図４】本発明に係るハードタイプスーツケースの隠し収納構造を説明する外観斜視図である。
【図５】本発明に係るハードタイプスーツケースの隠し収納構造を説明する構造の断面模式図である。
【図６】本発明に用いられる面ファスナーを説明する展開図である。
【図７】本発明に用いられる面ファスナーを説明する断面模式図である。
【図８】本発明に用いられる隠しの面ファスナーを説明する断面模式図である。
【図９】本発明に設置されるインナーポケットを説明する概略図である。
【発明を実施するための形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。なお、本発明の明細書中での「上、下、両側、頂部、底部」等の方向は形容詞であり、スーツケースが直立状態を呈する場合にローラーが着地する際の方向を基準とする。
【００１６】
（第１実施形態）
本発明における好適な実施の形態において図１ないし図９を参照しながら、第１実施形態を説明する。
図１ないし図５に示すように、本発明に係るハードタイプスーツケースＡは前蓋１１及び後蓋１２を有し、後蓋１２の内部には後蓋１２に穿設されるキャリーハンドル１３及び装設部１３１が設けられ、後蓋１２の外部には収納構造Ｂが設けられる。
本実施形態では図１及び図２に示すように、スーツケースＡの前蓋１１と後蓋１２との間には中間仕切り部１４を有し、中間仕切り部１４には上部用ハンドル１５及び側部用ハンドル１６が設置され、且つ前蓋１１をロックさせるための前蓋用ロック１７、及び後蓋１２をロックさせるための後蓋用ロック１８が設けられる。スーツケースＡの前蓋１１及び後蓋１２の底部には４つのキャスター１９が設置される。但し、本発明の収納構造Ｂは前述のスーツケースＡの構造形態に限られず、前記収納構造Ｂは何れかのキャリーハンドル１３の装設部１３１に設置され、後蓋１２内部のハードタイプスーツケースＡに装設される。
【００１７】
さらに、前記収納構造Ｂは、窪み部２０、内部ケース３０、外部ケース４０、及びファスナー５０を備える。窪み部２０は後蓋１２の外部に外から内へ凹設され、対応する窪み部の底部２１及び切込み２２が成型される。内部ケース３０及び外部ケース４０は凹型口として成型されて相互に整合される凹型構造であり、底板３１、底板４１、及び底板３１と底板４１の周縁の内側に沿い各々設置される軟質連接板３２と軟質連接板４２とを有する。
内部ケース３０は底板３１により窪み部２０の窪み部の底部２１に結合されて固定され、窪み部２０内に納置される。外部ケース４０の底板４１の外部の上側には、外部ケース４０を牽引させて脱離或いは窪み部２０の切込み２２を被覆するための引き部４１１が設けられる。
本発明における内部ケース３０と外部ケース４０とは凹型口となり整合され、内部ケース３０及び外部ケース４０は連接板３２と連接板４２との間に設置されるファスナー５０により、閉められ、かつ分離されて開かれる。
【００１８】
収納構造Ｂは、２枚の軟質連接板３２及び軟質連接板４２が延出されて変形されることで外部ケース４０の底板４１が窪み部２０の切込み２２を超過させ、ファスナー５０が現れて収納空間が拡張される。或いは圧縮されて変形することで外部ケース４０の底板４１は窪み部２０の切込み２２に被覆され、外部ケース４０が隠されて収納空間が縮小される。
【００１９】
この好ましい実施形態では、内部ケース３０及び外部ケース４０の連接板３２及び連接板４２が容易に変形することで圧縮或いは延出の目的を達成させる。連接板３２及び連接板４２は布、レザー、或いはプラスチック等の変形能力を有する板材から自由に選択されて構成される。
図２及び図３に示すように、内部ケース３０及び外部ケース４０は主に底部が固定されて連結され、これにより本発明の収納構造Ｂの収納空間の物品を出し入れするための開口はスーツケースＡの上方に向けられ、開口を大きく開けることで物品を出し入れ出来る。
本発明は内部ケース３０及び外部ケース４０の連接板３２及び連接板４２の対向する両側に上から下に収束する幅の変化が形成されることで、内部ケース３０と外部ケース４０とが整合し、上が広く下が狭い収納構造Ｂが形成され、内部ケース３０の底板３１と外部ケース４０の底板４１の上側との間の距離がより拡がり、物品の取り出しに便利な大きな開口が形成され、内部ケース３０の底板３１及び外部ケース４０の底板４１の下側の大部分が窪み部２０内に納置され、好ましい結合構造の保護効果が得られる。
【００２０】
内部ケース３０の底板３１と窪み部２０の窪み部の底部２１とはリベットにより窪み部２０内に固設され、窪み部２０の窪み部の底部２１と内部ケース３０底板３１との対応する位置には複数のビア２１１及びビア３１１が各々設けられ、窪み部２０の窪み部の底部２１と内部ケース３０底板３１とはビア２１１及びビア３１１の数量に対応する穿設部材３３がリベットで穿設される（図１参照）。しかしながら、本発明の内部ケース３０と窪み部２０との固定結合構造はこれに限られず、同じ効果を有する他の技術手段により達成されてもよい。
【００２１】
外部ケース４０は底板４１の周縁に周設される凸状リブ部４３により、外部ケース４０の底板４１は窪み部２０の切込み２２に被覆され、凸状リブ部４３と窪み部２０の切込み２２とが緊密に嵌合されることで、内部ケース３０及び外部ケース４０が窪み部２０内に収納されて隠される（図４及び図５参照）。
【００２２】
図２に示すように、ファスナー５０は、内部ケース３０の連接板３２の周縁に設けられる第一ファスナー５１、外部ケース４０の連接板４２の周縁に設けられる第二ファスナー５２、第一ファスナー５１と第二ファスナー５２とを閉じるためのスライダー５３、及びスライダー５３を牽引するための引き手５４を備える。
内部ケース３０の底板３１の下側と外部ケース４０の底板４１の下側との間には補強部５５を有し、内部ケース３０と外部ケース４０の底部との結合構造の強度を増加させ、補強部５５と内部ケース３０の連接板３２及び外部ケース４０の連接板４２とは収納空間内に間隔をあけて設置され、収納構造Ｂに隠されて収納される場合、圧縮変形された内部ケース３０の連接板３２及び外部ケース４０の連接板４２が収納される。
【００２３】
また、収納構造Ｂは前述の構造により、軟質連接板３２と軟質連接板４２との間に設けられるファスナー５０により内部ケース３０と外部ケース４０とが閉められ、かつ分離されて開けられ、軟質連接板３２及び軟質連接板４２内は収納空間が変形するまで凹み収納空間が圧縮或いは拡大される。これにより、ハードタイプスーツケースＡは更に好ましい収納性及び利便性を提供するほか、特に収納構造Ｂが圧縮されて窪み部２０の内部に収納されて隠される場合、ハードタイプスーツケースＡの外部には収納構造Ｂが設けられると同時に、表面には衝撃を受けても容易には損傷しない突出構造を有し、従来のスーツケースＡの構造的欠陥を確実に改善させる目的を達成させる。
【００２４】
外部ケース４０が窪み部２０の切込み２２内に収納されて隠されるようにするため、収納構造Ｂの内部ケース３０の連接板３２の外面と外部ケース４０の連接板４２の外面との対応する位置には更にフック面のファスナー３４及びループ面のファスナー４４が数量を対応させて設けられ、外部ケース４０の底板４１は窪み部２０の切込み２２に被覆され、内部ケース３０の連接板３２及び外部ケース４０の連接板４２が変形されて圧縮され重畳されることで、フック面のファスナー３４及びループ面のファスナー４４は相互に貼着される（図６、図７及び図８参照）。
【００２５】
この好ましい実施形態では、少なくとも連接板３２及び連接板４２の頂部及び底部の外面には一組のフック面のファスナー３４及びループ面のファスナー４４が各々設けられ、或いは連接板３２及び連接板４２の外面には二組以上のフック面のファスナー３４及びループ面のファスナー４４が間隔をあけて設置される。このほか、収納構造Ｂの面ファスナー３４及び面ファスナー４４と前述の緊合構造とにより外部ケース４０が窪み部２０の切込み２２の凸状リブ部４３に固定されて隠され、実際の使用状態によっては同時に収納構造Ｂに設置されるか、或いは別れて独立する。
【００２６】
外部ケース４０が窪み部２０の切込み２２に被覆される場合、収納空間のファスナー５０が開けられ窪み部２０に収納されて隠される。そこで、図９に示すように、収納構造Ｂは軟質材質で製造される外部ケース４０の底板４１、及び底板４１に設置される少なくとも１つのファスナー６０により、収納構造Ｂが隠れた状態でも容易に物品を取り出せる利便性を有する。
さらに、外部ケース４０は収納空間に設けられる袋７１及び外部ケース４０の底板４１のファスナー７２に設けられるインナーポケット７０が設置されることで、収納構造Ｂには収納中間層が形成され、小さな物品の収納が可能になり、収納構造Ｂの分類収納能力が向上し、収納構造Ｂの空間の利用性及び使用上の利便性が向上する。
【００２７】
以上、本発明の実施形態について図面を参照して詳述したが、具体的な構成はこの実施形態に限られるものではなく、本発明の要旨を逸脱しない範囲の設計変更等も含まれる。
【符号の説明】
【００２８】
Ａ      スーツケース
１１    前蓋
１２    後蓋
１３    キャリーハンドル
１３１  装設部
１４    中間仕切り部
１５    上部用ハンドル
１６    側部用ハンドル
１７    前蓋用ロック
１８    後蓋用ロック
１９    キャスター
Ｂ      収納構造
２０    窪み部
２１    窪み部の底面
２１１  ビア
２２    切込み
３０    内部ケース
３１    底板
３１１  ビア
３２    連接板
３３    穿設部材
３４    面ファスナー
４０    外部ケース
４１    底板
４１１  引き部
４２    連接板
４３    凸状リブ部
４４    面ファスナー
５０    ファスナー
５１    第一ファスナー
５２    第二ファスナー
５３    スライダー
５４    引き手
５５    補強部
６０    ファスナー
７０    インナーポケット
７１    袋
７２    ファスナー
【図１】
0005847233.tif 000002
【図２】
0005847233.tif 000003
【図３】
0005847233.tif 000004
【図４】
0005847233.tif 000005
【図５】
0005847233.tif 000006
【図６】
0005847233.tif 000007
【図７】
0005847233.tif 000008
【図８】
0005847233.tif 000009
【図９】
0005847233.tif 000010